(57)【要約】【課題】この発明は、制御盤の盤内に取り付ける場合でも制御盤の形状に囚われることなく取り付け可能であり、端子ネジを、ネジ孔に螺合して長時間時間が経過した後に取り外す際にも端子ネジの落下防止の効果が弱くなるのを回避することが可能な端子装置を提供することを課題とする。【解決手段】この発明に係る端子装置は、制御盤の盤内に取り付けられる端子台３について、略鉛直方向に沿って延びる面３ａに開口したネジ孔２を有すると共に、ネジ孔２の下方にネジ孔２の軸方向に沿って延びると共にネジ孔２の径方向にも広がりを有する通孔１２が開口し、この通孔１２には枠状部１５とこの枠状部１５内に相対的に緩く張られたネット部１６とで構成された受け止め部１３が引き出し可能に収納され、引き出された状態の受け止め部１３のネット部１６によりネジ孔２から外れた端子ネジ７を跳ねることなく受け止めることを可能とする。【選択図】図１
2011023254.tif 000002
【特許請求の範囲】
【請求項１】
ネジ孔が形成された端子台と、被差し込み部を有する端子と、前記端子台のネジ孔と前記端子の被差し込み部の双方に通すことが可能な軸方向寸法及び外径寸法を有する端子ネジとで構成されるもので、
前記端子台のネジ孔は、略鉛直方向に沿って延びる面に開口しており、前記ネジ孔の下方には前記端子ネジを衝撃吸収性良く受け止めることができる受け止め部を有することを特徴とする端子装置。
【請求項２】
前記ネジ孔の下方に、前記ネジ孔の軸方向に沿って延びると共に前記ネジ孔の径方向にも広がりを有する通孔が開口し、前記受け止め部は、前記ネジ孔の軸方向に沿って移動して前記通孔の開口から外部に引き出し得るように、前記通孔内に収納されることを特徴とする請求項１に記載の端子装置。
【請求項３】
前記ネジ孔の下方に前記受け止め部が着脱自在に取り付けられていることを特徴とする請求項１に記載の端子装置。
【請求項４】
前記受け止め部は、枠状部とこの枠状部内に配置されたネット部とで構成されていることを特徴とする請求項１、２又は請求項３のいずれかに記載の端子装置。
【発明の詳細な説明】
【技術分野】
【０００１】
この発明は、配線接続用の端子ネジが縦方向に延びる面に形成されたネジ孔に接続される端子台を有する端子装置、特に制御盤・配電盤等（以下，制御盤）の盤内に配置される端子台を有する端子装置に関する。
【背景技術】
【０００２】
例えば特許文献１に示されるように、電源装置とこの電源装置から電力の供給を受ける電子機器との接続又はセンサとこのセンサから電気信号を受ける電子機器との接続に端子台が用いられる。すなわち、この特許文献１では、配線接続作業は、端子台のネジ孔に配線の先端に圧着接続された丸型等の端子を配置した後、端子ネジをこの端子の孔に挿通しつつ端子台のネジ孔にねじ込み、端子ネジを介して端子が端子台に締着されることにより行われる。
【０００３】
そして、端子台のうちには、例えば特許文献２に示されるように、中央監視制御装置と各制御・監視場所に設置する現場制御盤とを別置構成とすると共に、この中央監視制御装置と各制御・監視場所に設置する現場制御盤との間に中継用の制御盤を設けた場合に、この制御盤の盤内に設けられるものがある。
【０００４】
この制御盤の盤内に設けられた端子台では、上記した配線接続作業を行うにあたり、作業スペースが狭く、端子に電圧がかかっている場合があり、配線のコードが多数存在する等の作業環境上の問題があるため、誤って端子ネジを盤内に落下させてしまい、これにより、配線の短絡等を招き、電力の安定供給に支障を生ずる等の不具合が想定される。
【０００５】
これに対して、上記特許文献２では、端子ネジの落下による上記不具合を解決するために、最上側の端子台の上部及び上下に隣り合う端子台にあってはその間において、盤の立面に沿って延びる垂直部とこの垂直部の上端から略水平方向に延びる水平部とを有する略Ｌ字状のネジ落下防止用カバーを装着した構成となっている。
【０００６】
また、特許文献１では、制御盤の盤内に設けられた端子台用の発明ではないが、圧着端子と端子ネジとの間に、水平部と垂直部とから成る略Ｌ型の端子押さえ板を介在させ、この端子押さえ板の水平部の孔に設けた突起により、端子ネジは端子押さえ板に逸脱不能に係止されているので、端子ネジが端子台から外れた場合でも端子ネジの落下を防止することができる構成としている。
【先行技術文献】
【特許文献】
【０００７】
【特許文献１】特開２００１−３５１７０１号公報
【特許文献２】特開平１０−２０８７９４号公報
【発明の概要】
【発明が解決しようとする課題】
【０００８】
しかしながら、特許文献１に示される略Ｌ字状のネジ落下防止用カバーによる端子ネジの落下防止の構造では、制御盤の盤内の形状によっては、端子台の上下にかかるネジ落下防止用カバーを取り付けることができない場合がある。更に、ネジ落下防止用カバーが略Ｌ字状をなしているので、このネジ落下防止用カバーの水平部の先端近傍上に落下した端子ネジが跳ねて端子ネジがネジ落下防止用カバーよりも下方に落下するおそれもある。
【０００９】
また、特許文献２に示される端子台の構造では、端子押さえ板の板バネ部が撓んだ状態のまま端子ネジをこの端子押さえ板を介在させて端子台に取り付けていると、テンションが継続的にかかったままの状態となるので、端子押さえ板の板バネが劣化して、そのバネ効果が相対的に弱くなることが考えられ、端子押さえ板の板バネ部のバネ効果が弱った後に端子ネジを端子台から取り外すと端子押さえ板からも端子ネジが外れて落下するおそれがある。
【００１０】
そこで、本発明は、制御盤の盤内に取り付ける場合でも制御盤の盤内の形状に囚われることなく取り付けることができ、且つ、端子ネジを螺合して長時間時間が経過した後にこの端子ネジを取り外す際にも端子ネジの落下防止の効果が相対的に弱くなるのを回避することが可能な端子装置を提供することを目的とする。
【課題を解決するための手段】
【００１１】
この発明に係る端子装置は、ネジ孔が形成された端子台と、被差し込み部を有する端子と、前記端子台のネジ孔と前記端子の被差し込み部の双方に通すことが可能な軸方向寸法及び外径寸法を有する端子ネジとで構成されるもので、前記端子台のネジ孔は、略鉛直方向に沿って延びる面に開口しており、前記ネジ孔の下方には前記端子ネジを衝撃吸収性良く受け止めることができる受け止め部を有することを特徴としている（請求項１）。端子台は、例えば制御盤の盤内に設置可能なものである。また、ネジ孔は、単数でも複数でも良く、複数のネジ孔の場合には、横列に並ぶ配置でも縦列に並ぶ配置でも良い。そして、ネジ孔が横列に並ぶ配置では、複数のネジ孔の下方に単体の受け止め部を有する構成としても良い。また、ネジ孔が縦列に並ぶ配置では、ネジ孔ごとではなく複数のネジ孔の下方に受け止め部を有する構成としても良い。端子ネジの被差し込み部は、例えは円状の通孔や外縁から内部まで延びて２股の延出部を有する略Ｙ形状の形態とする切欠きが挙げられる。
【００１２】
このような端子装置の構成によれば、端子ネジをネジ孔から取り外す際に、その下方に受け止め部を有するため、端子ネジが誤ってネジ孔から外れて落下しても受け止め部により受け止められるので、端子ネジが盤内の配線上等に落下することが回避される。しかも、受け止め部は、端子ネジを衝撃吸収性良く受け止めることができるので、受け止め部上に落ちた端子ネジが跳ねて、せっかく受け止め部で一時的に受け止めても盤内の配線上等に落下することも回避することができる。
【００１３】
そして、この発明に係る端子装置は、前記ネジ孔の下方に、前記ネジ孔の軸方向に沿って延びると共に前記ネジ孔の径方向にも広がりを有する通孔が開口し、前記受け止め部は、前記ネジ孔の軸方向に沿って移動して前記通孔の開口から外部に引き出し得るように、前記通孔内に収納されるものとしても良い（請求項２）。また、この発明に係る端子装置は、前記ネジ孔の下方に前記受け止め部が着脱自在に取り付けられるものとしても良い（請求項３）。
【００１４】
このため、受け止め部は、通常時では通孔内に収納され、又は取り外されているので、受け止め部が端子台から常時張り出していることがなく、よって他の作業時に障害となることもない。更に、受け止め部は、必要時まで通孔内に収納され、又は取り外された状態にあるので、端子ネジが長時間にわたって螺合されていても、受け止め部が劣化することが少ない。また、仮に受け止め部が劣化しても容易に交換することができる。
【００１５】
そして、この発明に係る端子装置では、前記受け止め部は、枠状部とこの枠状部内に緩く張るかたちで配置されたネット部とで構成されているものとしても良い（請求項４）。枠状部の枠形状は、長方形状、台形状などの四角形のみならず、五角形状又は長円形状等が挙げられる。
【００１６】
これにより、緩く張られたネット部上に落ちた端子ネジはこのネット部によりその落下の衝撃を吸収することができるので、受け止め部に落下した端子ネジが跳ねて受け止め部よりも下方に落下することが回避される。しかも、ネット部の撓み量を大きくすることにより単体の受け止め部により複数の端子ネジを受け止め、収容することができるので、受け止め部を、全てのネジ孔ごとではなく１つ置きや２つ置き等の所定数置きで、ネジ孔の下方に配置することができる。
【発明の効果】
【００１７】
以上のように、この発明によれば、端子ネジをネジ孔から取り外す際に、ネジ孔の下方に端子ネジを衝撃吸収性良く受け止めることができる受け止め部を有するため、端子ネジが誤ってネジ孔から外れて落下しても受け止め部が端子ネジを受け止め、しかも、受け止め部上で端子ネジが跳ねて、この受け止め部よりも下方に落下することも回避することができるので、端子台を制御盤の盤内に設ける場合に、端子ネジの落下が原因で配線が短絡する等の不具合を回避することができる。
【００１８】
特に請求項２又は請求項３に記載の発明によれば、受け止め部は、通常時では通孔内に収納され、又は取り外されているので、受け止め部が端子台から張り出しているために他の作業時に障害となるのを防止することができる。また、受け止め部は、必要時まで通孔内に収納され、又は取り外された状態にあるので、端子ネジが長時間にわたって螺合されていても、受け止め部が劣化することが少なく、仮に受け止め部が劣化しても端子ネジの取り外しに先立ち容易に交換することができる。
【００１９】
特に請求項４に記載の発明によれば、緩く張られたネット部上に落ちた端子ネジに対しネット部によりその落下の衝撃を吸収することができるため、受け止め部に落下した端子ネジが跳ねて、受け止め部よりも下方に落下するのを防止することができる。しかも、受け止め部のネット部の撓み量を相対的に大きくすることにより、単体の受け止め部により複数の端子ネジを受け止め、収容することができるので、受け止め部を、全てのネジ孔ごとではなく１つ置きや２つ置き等の所定数置きで、ネジ孔の下方に配置することができることから、受け止め部の使用数や工数を削減して、コストの削減を図ることができる。
【図面の簡単な説明】
【００２０】
【図１】図１は、この発明に係る端子装置の収納式の受け止め部を有する実施例１の第１例を示したもので、横列に並んだ複数のネジ孔に対応した受け止め部の配置構成を示した説明図であり、図１（ａ）はこの端子装置の正面図、図１（ｂ）はこの端子装置の受け止め部が収納された状態の断面図、図１（ｃ）はこの端子装置の受け止め部が引き出された状態の断面図である。
【図２】図２は、受け止め部の構成を示す説明図である。
【図３】図３は、端子ネジと端子との間にバネ座金やワッシャを介在させることを示す説明図である。
【図４】図４は、同上の端子装置の収納式の受け止め部を有する実施例１の第２例を示したもので、単数のネジ孔に対応した受け止め部の配置構成を示した説明図であり、図４（ａ）はこの端子装置の正面図、図４（ｂ）はこの端子装置の受け止め部が引き出された状態の一部断面図である。
【図５】図５は、同上の端子装置の収納式の受け止め部を有する実施例１の第３例を示したもので、縦列に並んだ複数のネジ孔に対応した受け止め部の配置構成を示した説明図であり、図５（ａ）はこの端子装置の正面図、図５（ｂ）はこの端子装置の受け止め部が引き出された状態の断面図である。
【図６】図６は、この発明に係る端子装置の着脱式の受け止め部を有する実施例２を示したもので、図６（ａ）はこの端子装置の正面図、図６（ｂ）はこの端子装置の受け止め部が装着された状態等を示す側面図である。
【図７】図７も、図６と同様にこの発明に係る端子装置の着脱式の受け止め部を有する実施例２を示したもので、この端子装置の受け止め部が装着された状態等を示す斜視図である。
【発明を実施するための形態】
【００２１】
以下、この発明の実施形態の一例を図面に基づいて説明する。
【実施例１】
【００２２】
図１から図５において、この発明に係る端子装置１の実施例１が示されている。この発明に係る端子装置１は、例えば、図示しないが、中央監視制御装置と各制御・監視場所に設置する現場制御盤とを別置構成とすると共に、この中央監視制御装置と各制御・監視場所に設置する現場制御盤との間に中継用の制御盤を設けた場合に、中央監視制御装置と現場制御盤との電気接続を行うために用いられるもので、ネジ孔２が形成された端子台３と、円状の通孔６を有する端子５と、端子台３のネジ孔２と端子５の通孔６との双方に通すことが可能な端子ネジ７とを有して構成されている。そして、端子台３は、上記の場合には例えば図示しない中継用の制御盤の盤内に配置される。
【００２３】
もっとも、端子５は、端子ネジ７との差し込み部として通孔６を有する構成に限定されず、図示しないが、先端が開放された構成となるように基部から２股に別れた延出部を有する略Ｙ形状として、両延出部間に端子ネジ７が差し込まれるようにしても良い。また、端子ネジ７と端子５との間には、図３に示されるように、ワッシャ９と、平座金の一部を切断し、切断した部分同士を反対方向に捩じることでバネ作用を持たせたバネ座金１０とが介在されるようにしても良く、このバネ座金１０のバネ作用による復元力で端子ネジ７の緩み止めが図られる。
【００２４】
そして、この端子装置１は、ネジ孔２に螺合された端子ネジ７を取り外す際に、端子ネジ７が落下するのを防止するために、端子台３の構造に対応した収納式の受け止め部１３を有している。
【００２５】
すなわち、図１に第１例として示される端子装置１では、端子台３は、略鉛直方向に沿って延びる面３ａにおいて、ネジ孔２が横方向に２列並ぶように配置されている共に、これらのネジ孔２の下方には面３ａよりも突出した突出部３ｂを有した構成であり、この突出部３ｂの突出方向頂面に開口した通孔１２内に受け止め部１３が収納された構成となっている。
【００２６】
このうち、通孔１２は、ネジ孔２が少なくとも横列に並んだ方向に沿って延びると共に突出部３ｂの突出方向に沿っても延びるように形成されていると共に、その両側の内側面には下記するストッパ１７の挿入可能なスリット状の溝１４が通孔１２の軸方向に沿って延びている。そして、この溝１４は、端子台３の面３ａ側が外方に向けて開放されておらず、ストッパ１７の動きが規制されている。
【００２７】
受け止め部１３は、図２に示されるように、長方形状の枠状部１５と、この枠状部１５内に張られたネット部１６と、枠状部１５の側方外面から外方に延びて通孔１２内の溝１４に差し込み可能なストッパ１７と、枠状部１５の外方前面に設けられた把持部１８とで構成されている。枠状部１５は、通孔１２内に収納可能なように、通孔１２の高さ方向の寸法よりも小さな寸法の厚みと、通孔１２の横方向の寸法よりも小さな寸法の幅とを有している。更に、枠状部１５の奥行き方向の寸法は、端子ネジ７の軸方向寸法よりも大きな寸法を有している。ネット部１６は、このネット部１６上に落下した端子ネジ７の衝撃を吸収することが可能なように緩く張られている。尚、枠状部１５の形状は、通孔１２内に収納可能であれば長方形状に限定されず、台形状、五角形状等の多角形状又は角がとれた長円形状等であっても良い。
【００２８】
また、図４に第２例として示される端子装置１では、端子台３は、略鉛直方向に沿って延びる面３ａにおいて、ネジ孔２が単数で配置されている共に、これらのネジ孔２の下方には面３ａよりも突出した突出部３ｂを有した構成であり、この突出部３ｂの突出方向頂面に開口した通孔１２内に受け止め部１３が収納された構成となっている。通孔１２の構成及び受け止め部１３の構成は先述した構成と同様である。
【００２９】
更に、図５に第３例として示される端子装置１では、端子台３は、略鉛直方向に沿って延びる面３ａにおいて、ネジ孔２が少なくとも縦方向に並ぶように配置されている。そして、この第３例においては、通常では上から３番目に配置されるネジ孔２を有する面３ａに代えて、これまでの通孔１２よりも開口面積の大きな通孔１９が２つ横並びにて形成されている。この通孔１９の両側の内側面には、ストッパ１７の挿入可能なスリット状の溝１４が通孔１９の軸方向に沿って延びており、この溝１４も、外方に向けて開放されておらず周縁部分により閉じられた状態となっている。受け止め部２０は、前記した枠状部１５、ストッパ１７、及び把持部１８と、ネット部２１とを有する構成となっている。ネット部２１は、端子ネジ７の衝撃を吸収することが可能なように緩く張られている一方で、図５（ｂ）に示されるように、受け止め部１３のネット部１６よりも撓み量が大きくなっているもので、複数の端子ネジ７を収容することができる。受け止め部２０の枠状部１５は、この実施例では引き出し方向の前方部分において上方から下方に向けて閉塞板２２が延設された構成となっているが、この閉塞板２２を有しない構成としても良い。
【００３０】
このような構成の受け止め部１３又は受け止め部２０を有することにより、通常時には受け止め部１３、２０を端子台３の通孔１２、１９内に収納し、端子ネジ７をネジ孔２から取り外す際に、把持部１８を持って受け止め部１３、２０を通孔１２、１９から引き出すことで使用される。この場合に、受け止め部１３、２０は、端子ネジ７を受けるのに必要十分な突出量に至ったときには、ストッパ１７が溝１４の軸方向の終端に位置する周縁部分に当接するので、受け止め部１３、２０が引き出され過ぎて、通孔６、１９から落下するのを防止することができる。
【００３１】
そして、第１例及び第２例として示される端子装置１では、ネジ孔２の直ぐ下方に受け止め部１３が配置されるため、端子ネジ７が誤ってネジ孔２から外れて落下しても受け止め部１３のネット部１６で確実に受け止めることができ、しかも、この受け止め部１３のネット部１６上で端子ネジ７が跳ねることも防止することができるので、制御盤の盤内における端子ネジ７の落下による配線の短絡等の不具合を回避することができる。これに伴い、作業員も安心して端子台３のネジ孔２から端子ネジ７を取り外す作業を行うことができるとの安心感が生ずるので、作業員の心理にも有利に働き、作業の迅速化を図ることも可能となる。
【００３２】
また、第３例として示される端子装置１では、受け止め部２０を各ネジ孔２の直ぐ下方ではなくネジ孔２の２つ置き（但し、幾つ置きにするかは任意である。）に配置するので、受け止め部２０の設置数の相対的な削減を図ることが可能となり、制御盤の盤内における端子ネジ７の落下による配線の短絡等の不具合の回避や作業員に安心感を与えることによる作業の迅速化に加えて、端子台３の製造コストの低廉化を図ることもできる。
【００３３】
尚、受け止め部２０の枠状部１５は、図１（ｂ）では収納時にその一部が端子台３の後方から突出した構成となっているが、必ずしもこの構成に限定されない。図示しないが、受け止め部２０の枠状部１５が端子台３の後方に突出しない構成としても良い。これにより、受け止め部２０を有する端子台３をアングル材（図示せず）に取り付けることが可能となる。
【実施例２】
【００３４】
図６及び図７において、この発明に係る端子装置１の実施例２が示されている。尚、端子装置１について先の実施例１と同様の構成については当該先の実施例１の符号を付してその説明を省略する。
【００３５】
この実施例２に係る端子装置１では、端子台３は、略鉛直方向に沿って延びる面３ａにおいて、ネジ孔２が少なくとも縦方向に並ぶように配置されている。そして、端子台３は、通常では上から３番目に配置されるネジ孔２を有する面３ａに代えて、開口面積が相対的に大きな通孔１９が２つ横並びにて形成されており、各通孔１９内には受け止め部２５が所定数（この実施例では４つ）ほど上下に積み重ねるかたちで収納されている。
【００３６】
この受け止め部２５は、基本的な構成については受け止め部１３と同様であり、枠状部１５と、ネット部１６と、把持部１８とを有して構成され、ネット部１６は、このネット部１６上に落下した端子ネジ７の衝撃を吸収することが可能なように緩く張られている。更に、枠状部１５の把持部１８とは反対側には端子台３への組み付け機構として差し込み部２５が２つ突出形成されており、端子台３のネジ孔２の下方側に開口した差し込み孔２６に挿嵌されることにより、端子台３のネジ孔２の下方に受け止め部２４が着脱自在に取り付けられるものとなっている。
【００３７】
このような構成の受け止め部２４を有することにより、通常時には受け止め部２４を端子台３の通孔１９内に収納し、端子ネジ７をネジ孔２から取り外す際に、把持部１８を持って受け止め部２４を通孔１９から取り出し、その差し込み部２５を端子台３の差し込み孔２６に差し込むことにより使用される。
【００３８】
そして、ネジ孔２の直ぐ下方に受け止め部２４が配置されるため、端子ネジ７が誤ってネジ孔２から外れて落下しても受け止め部２４のネット部１６で確実に受け止めることができ、しかも、この受け止め部２４のネット部１６上で端子ネジ７が跳ねることも防止することができるので、制御盤の盤内における端子ネジ７の落下による配線の短絡等の不具合を回避することができる。これに伴い、作業員も安心して端子台３のネジ孔２から端子ネジ７を取り外す作業を行うことができるとの安心感が生ずるので、作業員の心理にも有利に働き、作業の迅速化を図ることも可能となる。
【００３９】
尚、この受け止め部２４は、端子台３のネジ孔７より下方に差し込み孔２６を形成することで端子台３に着脱自在に取り付けることができるので、図１に示される端子台３や図４に示される端子台３にも用いることが可能である。
【００４０】
また、受け止め部２４の差し込み部２５は、図６（ｂ）では収納時にその一部が端子台３の後方から突出した構成となっているが、必ずしもこの構成に限定されない。図示しないが、受け止め部２４の差し込み部２５が端子台３の後方に突出しない構成としても良い。これにより、受け止め部２４を有する端子台３をアングル材（図示せず）に取り付けることが可能となる。
【符号の説明】
【００４１】
１  端子装置
２  ネジ孔
３  端子台
３ａ  略鉛直方向に沿って延びる面
３ｂ  突出部
４  配線
５  端子
６  通孔
７  端子ネジ
９  ワッシャ
１０  バネ座金
１２  通孔
１３  受け止め部
１４  溝
１５  枠状部
１６  ネット部
１７  ストッパ
１８  把持部
１９  通孔
２１  ネット部
２２  閉塞板
２４  受け止め部
２５  差し込み部
２６  差し込み孔
【図１】
2011023254.tif 000003
【図２】
2011023254.tif 000004
【図３】
2011023254.tif 000005
【図４】
2011023254.tif 000006
【図５】
2011023254.tif 000007
【図６】
2011023254.tif 000008
【図７】
2011023254.tif 000009